(57)【要約】      （修正有）【課題】簡単な方法で、測定方向に対して直角な方向の移動量を検知するインダクティブ位置測定装置を提供する。【解決手段】走査検知要素に励起配線１．４、１．５及び三つのレシーバートラック１．１、１．２、１．３を含み、第一、第二レシーバートラック１．１、１．２が、第一方向Ｘに対して直角に延伸する間隔Ｚ１をおいて配設され、第三レシーバートラック１．３が、第一、第二レシーバートラック１．１、１．２の間に配設されている。目盛要素に二つの目盛トラック２．１、２．２は、間隔Ｚ２をおいて配設され、異なった目盛周期Ｐ２．１、Ｐ２．２を有している。励起配線１．４、１．５により生成された電磁界を目盛トラック２．１、２．２により変調し、第一、第二レシーバートラック１．１、１．２により第一方向Ｘにおける相対位置を検知し、第三レシーバートラック１．３により第一方向Ｘに対して直角な第二方向Ｚにおける相対位置を検知する。【選択図】図２
2014119453.tif 000002
【特許請求の範囲】
【請求項１】
互いが第一方向（Ｘ）で相対的に可動である走査検知要素（１：１’）および目盛要素（２：２’）を有するインダクティブ位置測定装置において、
−走査検知要素（１：１’）に、励起配線（１．４，１．５；１．４’，１．５’）および三つのレシーバートラック（１．１，１．２，１．３；１．１’，１．２’，１．３’）を含んでおり、レシーバートラック（１．１，１．２，１．３；１．１’，１．２’，１．３’）のそれぞれが、少なくとも一つのレシーバー配線（１．１１，１．１２，１．２１；１．２２，１．３１，１．３２）を有しており、第一および第二レシーバートラック（１．１，１．２；１．１’，１．２’）が、第一方向（Ｘ）に対して直角に延伸する間隔（Ｚ１；Ｚ１’）をおいて互いに配設されており、第三レシーバートラック（１．３；１．３’）が、第一および第二レシーバートラック（１．１，１．２；１．１’，１．２’）の間に配設されており、
−目盛要素（２；２’）に、二つの目盛トラック（２．１，２．２；２．１’，２．２’）を含んでおり、それが第一方向（Ｘ）に対して直角に延伸する間隔（Ｚ２；Ｚ２’）をおいて互いに配設されていると共に、第一方向（Ｘ）に沿って異なった目盛周期（Ｐ２．１，Ｐ２．２；Ｐ２．１’，Ｐ２．２’）を有し、
当該位置測定装置が、励起配線（１．４，１．５；１．４’，１．５’）により生成された電磁界を目盛トラック（２．１，２．２；２．１’，２．２’）により変調できるように構成されており、それにより第一および第二レシーバートラック（１．１，１．２；１．１’，１．２’）のレシーバー配線（１．１１，１．１２，１．２１；１．２２）を使って、第一方向（Ｘ）における相対位置を検知できる一方、第三レシーバートラック（１．３；１．３’）の少なくとも一つのレシーバー配線（１．３１，１．３２；１．３１’，１．３２’）を使って、第一方向（Ｘ）に対して直角に向いている第二方向（Ｚ）における相対位置を検知することができる
ことを特徴とするインダクティブ位置測定装置。
【請求項２】
請求項１に記載のインダクティブ位置測定装置において、
レシーバートラック（１．１，１．２，１．３；１．１’，１．２’，１．３’）の少なくとも一つが、少なくとも二つのレシーバー配線（１．１１，１．１２，１．２１；１．２２，１．３１，１．３２）を有している
ことを特徴とするインダクティブ位置測定装置。
【請求項３】
請求項１または２に記載のインダクティブ位置測定装置において、
目盛トラック（２．１，２．２；２．１’，２．２’）の少なくとも一つが、第一方向（Ｘ）に沿って交互に配設された導電性部分および非導電性部分を有する目盛構造（２．１１，２．１２；２．２１，２．２２）で出来ている
ことを特徴とするインダクティブ位置測定装置。
【請求項４】
請求項１、２または３に記載のインダクティブ位置測定装置において、
目盛トラック（２．１，２．２）の少なくとも一つが、第一方向（Ｘ）に沿って交互に配設された目盛線および間隙を有する目盛構造（２．１１，２．１２；２．２１，２．２２）で出来ている
ことを特徴とするインダクティブ位置測定装置。
【請求項５】
請求項１〜４のいずれか１項に記載のインダクティブ位置測定装置において、
目盛要素（２）が、湾曲した外側面を有しており、その上に目盛トラック（２．１，２．２）が、アキシャル方向間隔（Ｚ２）をおいて配設されている
ことを特徴とするインダクティブ位置測定装置。
【請求項６】
請求項５に記載のインダクティブ位置測定装置において、
第一または第二レシーバートラック（１．１，１．２）が、少なくとも一つのレシーバー配線（１．１１，１．１２，１．２１；１．２２）を有しており、それが第一方向（Ｘ）に沿って少なくとも２７０°の角度で延伸している
ことを特徴とするインダクティブ位置測定装置。
【請求項７】
請求項５または６に記載のインダクティブ位置測定装置において、
第三レシーバートラック（１．３）が、少なくとも一つのレシーバー配線（１．３１，１．３２）を有しており、それが第一方向（Ｘ）に沿って少なくとも２７０°の角度に亘って延伸している
ことを特徴とするインダクティブ位置測定装置。
【請求項８】
請求項１〜４のいずれか１項に記載のインダクティブ位置測定装置において、
目盛要素（２’）がフラットな面を有しており、その上に目盛トラック（２．１’，２．２’）が配設されている
ことを特徴とするインダクティブ位置測定装置。
【請求項９】
請求項１〜８のいずれか１項に記載のインダクティブ位置測定装置において、
励起配線（１．４，１．５；１．４’，１．５’）の少なくとも一つが、これにより電磁界を生成することが可能であり、その変調後に、
−第一および第二レシーバートラック（１．１，１．２；１．１’，１．２’）のレシーバー配線（１．１１，１．１２，１．２１；１．２２）を使って、第一方向（Ｘ）における相対位置が検知可能であり、そして更に
−第三レシーバートラック（１．３；１．３’）のレシーバー配線（１．３１，１．３２；１．３１’，１．３２’）を使って、第二方向（Ｚ）における相対位置が検知可能である
ように配設されている。
ことを特徴とするインダクティブ位置測定装置。
【請求項１０】
請求項１〜９のいずれか１項に記載のインダクティブ位置測定装置において、
二つのレシーバートラック（１．１，１．２，１．３；１．１’，１．２’，１．３’）に並んで少なくとも部分的に、第一方向（Ｘ）に対して直角に向いている第二方向（Ｚ）に関して、それぞれ両側に励起配線（１．４，１．５；１．４’，１．５’）が配設されている
ことを特徴とするインダクティブ位置測定装置。
【請求項１１】
請求項１〜１０のいずれか１項に記載のインダクティブ位置測定装置において、
第一および第二レシーバートラック（１．１，１．２；１．１’，１．２’）の間に、少なくとも部分的に二つの励起配線（１．４，１．５；１．４’，１．５’）が配設されている
ことを特徴とするインダクティブ位置測定装置。
【請求項１２】
請求項１〜１１のいずれか１項に記載のインダクティブ位置測定装置において、
第二目盛トラック（２．２；２．２’）の目盛周期（Ｐ２．２；Ｐ２．２’）に対する第一目盛トラック（２．１；２．１’）の目盛周期（Ｐ２．１；Ｐ２．１’）の割合が、１／４〜４の範囲内にある
ことを特徴とするインダクティブ位置測定装置。
【請求項１３】
請求項１〜１２のいずれか１項に記載のインダクティブ位置測定装置において、
第三レシーバートラック（１．３；１．３’）が、少なくとも一つのレシーバー配線（１．１１，１．１２，１．２１；１．２２，１．３１，１．３２；１．１１’，１．１２’，１．２１’；１．２２’，１．３１’，１．３２’）を有しており、それが第一方向（Ｘ）に沿って、長い方の目盛周期（Ｐ２．１，Ｐ２．２；Ｐ２．１’，Ｐ２．２’）より大きい長さで延伸している
ことを特徴とするインダクティブ位置測定装置。
【請求項１４】
請求項１〜１３のいずれか１項に記載のインダクティブ位置測定装置において、
第一、第二、あるいは第三レシーバートラック（１．１，１．２，１．３）が複数のセグメント（１０．１，１０．２，１０．３）を有しており、その内部に少なくとも一つのレシーバー配線（１．１１，１．１２，１．２１；１．２２，１．３１，１．３２）が配設されている一方、第一方向（Ｘ）に沿ったセグメント（１０．１，１０．２，１０．３）の外側にはレシーバー配線（１．１１，１．１２，１．２１；１．２２，１．３１，１．３２）が配設されていない
ことを特徴とするインダクティブ位置測定装置。
【請求項１５】
請求項１４に記載のインダクティブ位置測定装置において、
セグメント（１０．１，１０．２，１０．３）が、軸（Ａ）上の点に関して点対称で配設されている
ことを特徴とするインダクティブ位置測定装置。
【発明の詳細な説明】
【技術分野】
【０００１】
本発明は、相対位置を測定するための、請求項１に記載のインダクティブ位置測定装置に関するものである。
【背景技術】
【０００２】
インダクティブ位置測定装置はロータリエンコーダとして、互いが相対的に回転自在である二つの機械部品の角度位置を特定するために使用される。インダクティブ（誘導）位置測定装置では多くの場合に励起コイルとレシーバーコイルが、例えば共通したプリント基板の導線の形態で装着されており、そのプリント基板がロータリエンコーダのステータと固定接続されている。そのプリント基板に対向して目盛要素があり、その上に周期的な間隔をおいて交互に導電性および非導電性の面または目盛線および間隙が、目盛構造として設けられており、それがロータリエンコーダのロータと回転固定して接続されている。交流の励起電流が励起コイルに印加されると、ロータとステータ間で相対回転する間にレシーバーコイルで角度位置に対応する信号が生成される。そしてこの信号が、評価エレクトロニクス機器で更に処理される。
【０００３】
インダクティブ位置測定装置は更に、軸に沿った長手方向移動量を直接測定するためにも多く使用される。その場合に先に挙げたロータリエンコーダの時と同じ測定原理が使用されるが、レシーバーコイルおよび目盛構造が直線の軸に沿って移動する。
【０００４】
当該形式のインダクティブ位置測定装置は、該当する機械部品の相対移動ないし相対位置を特定するために、しばしば電気駆動部用の測定器として使用される。その場合には駆動部を制御するために、生成された位置値が対応して配設されたインターフェイスを介して後続のエレクトロニクス機器に送られる。
【０００５】
本出願人による特許文献１において角度測定装置が記載されており、そこでは角度位置を測定する以外に追加してアキシャル方向の移動量を、測定温度との関係で特定することができる。
【先行技術文献】
【特許文献】
【０００６】
【特許文献１】ＥＰ １ ７５０ １０１ Ｂ１号公報
【発明の概要】
【発明が解決しようとする課題】
【０００７】
本発明の課題は、インダクティブ位置測定装置を得ることであり、それにより簡単な方法で、本来の測定方向に対して直角な方向を有する移動量を特定することが可能になるものである。
【課題を解決するための手段】
【０００８】
この課題を本発明に従い、請求項１の特徴により解決する。
【０００９】
本インダクティブ位置測定装置は、走査検知要素および目盛要素を有しており、走査検知要素が、目盛要素に対して相対的に第一方向で直線的または回転方向に可動である。走査検知要素に含まれるのは、電磁界を発生させるための励起配線および、それぞれ少なくとも一つのレシーバー配線を有する三つのレシーバートラックである。第一および第二レシーバートラックは、第一方向に対して直角に延伸する間隔をおいて互いに配設されている。第三レシーバートラックは、第一および第二レシーバートラックの間に配設されている。そして目盛要素に含まれるのは二つの目盛トラックであり、それが第一方向に対して直角に延伸する間隔をおいて互いに配設されていると共に、第一方向に沿って異なった目盛周期を有している。位置測定装置は更に、励起配線により生成された電磁界を目盛トラックにより変調できるように構成されており、それにより第一および第二レシーバートラックのレシーバー配線を使って第一方向における相対位置を検知でき、他方で第三レシーバートラックの少なくとも一つのレシーバー配線を使って、第一方向に対して直角に向いている第二方向における相対位置を検知することができる。
【００１０】
目盛周期とは、目盛構造により決められている幾何的な長さである。一つの目盛周期の中に例えばそれぞれ、正確に一つの導通面および一つの非導通面ないし正確に一つの目盛線および一つの間隙がある。目盛周期を通過する時に、走査検知要素により信号周期が生成される。
【００１１】
トラック、即ち励起トラック、第一、第二、第三レシーバートラック、および目盛トラックは、第一方向に沿って延伸すると共に第二方向で幅を有する幾何的な範囲を有する。角度測定装置の場合にはトラックを、円周に沿って延伸し特に第一方向で連続する矩形の面として解釈できる。並進的な相対位置を測定する位置測定機器では、トラックが矩形形状を有しているとすることができる。第一、第二、第三レシーバートラックは、完全な測定長さないし完全な円周に亘って、あるいは部分的またはセグメント的にのみレシーバー配線を有していることがある。その位置測定機器は特に、レシーバー配線が少なくとも一つの別のレシーバートラックのレシーバー配線に対して相対的に、第一方向でオフセットして配設されるように構成されていることがある。
【００１２】
通常は走査検知要素および目盛要素が、互いに対向して配設されており、そして第一および第二方向に対して直角に向いている第三方向で延伸する空隙を介して、互いに間隔をおいている。本発明は空隙の幅の検知に関するものではない。相対移動は、回転移動である場合もあるし直線移動の場合もある。したがって相対位置は、角度位置あるいは並進的な位置である場合がある。目盛周期が異なっていることにより適切な信号評価方法を使い、例えばノギスのバーニア原理に従って、走査検知要素と目盛周期間のアブソリュート相対位置を特定できるようにすることもできる。
【００１３】
インダクティブ位置測定装置は特に、レシーバー配線を備えた第一および第二レシーバートラックが走査検知要素に配設されているように構成されている。そこで目盛要素に含まれるのは第一目盛トラックおよび第二目盛トラックであり、その位置測定装置の構成は、走査検知要素と目盛要素間で同じ相対移動の時に、第二レシーバートラックのレシーバー導線と較べて第一レシーバートラックのレシーバー導線により、多い数の信号周期を生成できるようになっている。同じ相対移動ということは、同じ量の相対移動と解釈し、例えば一定角度量の相対回転、あるいは一定長さ量の長手方向移動である。
【００１４】
レシーバートラックの少なくとも一つが、少なくとも二つのレシーバー配線を有していると利点がある。
【００１５】
本発明の別の構成では目盛トラックの少なくとも一つが、第一方向に沿って交互に配設された導電性部分および非導電性部分を有する目盛構造で出来ている。
【００１６】
インダクティブ位置測定装置の構成は又、目盛トラックの少なくとも一つが、第一方向に沿って交互に配設された目盛線および間隙を有する目盛構造で出来ていることもある。目盛トラックは、メッキされた金属層として形成されていることもある。
【００１７】
位置測定装置により角度位置を特定する必要がある場合に特に、目盛要素が湾曲した外側面を有していることがあり、その上に目盛トラックが、アキシャル方向間隔をおいて配設されている、即ち回転を行う中心となる軸に関して、アキシャル方向でオフセットしている。第一または第二レシーバートラックが、少なくとも一つのレシーバー配線を有していると利点があり、それが第一方向に沿って１８０°以上の角度、特に２２５°以上に亘って延伸しており、利点があるのは少なくとも２７０°の角度で延伸している。ここで記載の角度は、走査検知要素に対して相対的に目盛要素が回転する軸を中心点とした中心角に関するものである。
【００１８】
同様に第三レシーバートラックの一つまたは複数のレシーバー配線が、第一方向に沿って１８０°以上の角度、特に２２５°以上に亘って延伸しており、利点があるのは少なくとも２７０°の角度で延伸していることもある。
【００１９】
第三レシーバートラックのレシーバー配線は、これが第一方向に沿って中断部を有するように構成されていることもある。即ち、対応する目盛周期を円周の複数の箇所で走査検知することもある。例えば目盛トラックを走査検知する位置、即ち第三レシーバートラックの少なくとも一つのレシーバー配線がある位置が、軸上の中心点に関して対向して配設されていることがある。このような構成では第三レシーバートラックのレシーバー配線が、それぞれ軸上に中心点を有して少なくとも６０°の中心角、利点があるのは少なくとも７５°または少なくとも１００°に亘って延伸していることがある。
【００２０】
レシーバー配線の長さが比較的大きいことにより、生成された信号は偏心誤差およびふらつき誤差に対して感度が非常に鈍い。結果として、製造および組み付けで比較的大きな許容差が認められる。
【００２１】
代替として、第一、第二、または第三レシーバートラックが複数のセグメントを有するように、走査検知要素が構成されていることもあり、それによりレシーバートラックおよび選択肢として励起配線も、見たところ（実質的に）第一方向に沿って中断している。その場合には少なくとも一つのレシーバー配線が、セグメントの内部に配設されていることがあり、他方で第一方向に沿ったセグメントの外側にはレシーバー配線が配設されない。
【００２２】
例えば角度位置を特定できるようにする位置測定装置では、少なくとも第三レシーバートラックが、円周でセグメントとして配分されたレシーバー配線を有していることがあり、そこでレシーバー配線の範囲が、それぞれ３０°（即ち、全周の１／１２）以下、特に１５°（即ち、全周の１／２４）以下の角度セグメントに亘って延伸していることがある。角度位置を（回転）軸に関して特定できるようにする位置測定装置で上記のような構成では、個々のセグメントが軸上の点に関して点対称で配設されていると利点がある。
【００２３】
本発明の別の構成では目盛要素がフラットな面を有しており、その上に目盛トラックが配設されている。そのような実施方法は特に、並進的な移動または位置の測定との関連で利点がある。
【００２４】
本発明の別の構成によれば励起配線の少なくとも一つが、これにより電磁界を生成することを可能にし、目盛要素によるその変調後に、
ａ）第一および第二レシーバートラックのレシーバー配線を使って、第一方向における相対位置が検知可能であると共に、
ｂ）第三レシーバートラックのレシーバー配線を使って、第二方向における相対位置が検知可能である
ように配設されている。従って、第三レシーバートラックのレシーバー配線を使って信号を生成するための、別個または追加の励起配線を廃止することができる。
【００２５】
二つのレシーバートラックに並んで少なくとも部分的に、第一方向に直角であるが空隙方向に向いていない第二方向に関して、それぞれ両側に励起配線が配設されていると利点がある。特に走査検知要素は、三つのレシーバートラック全てに並んで少なくとも部分的に第二方向に関して、それぞれ両側に励起配線が配設されているように構成されていることがある。本発明の利点ある構成では第一および第二レシーバートラックの間に、少なくとも部分的に二つの励起配線が配設されている。特にレシーバー配線の両側に励起配線が配設されている。
【００２６】
第二目盛トラックの目盛周期に対する第一目盛トラックの目盛周期の割合が、１／４〜４の範囲内にあると利点がある。その割合が特に、最小１／３で最大３である場合があり、その割合が１／２〜２の範囲内にあると利点がある。例えば、角度位置を測定することに特定されている位置測定装置の場合、第一目盛トラックの目盛周期の数は、第二目盛トラックの目盛周期の数に対して数が一つだけ異なっている。
【００２７】
二つの目盛トラックは異なった目盛周期を有している。従って、目盛周期の長い目盛トラックおよび目盛周期の短い目盛トラックがある。第三レシーバートラックが第一方向に沿って、長い方の目盛周期より大きい長さで延伸していると利点がある。
【００２８】
本発明の利点ある構成は、従属請求項から分かる。
【００２９】
本発明によるインダクティブ位置測定装置の更なる詳細および利点は、添付の図面を使った二つの実施例の以下における説明から得られる。
【図面の簡単な説明】
【００３０】
【図１】相対的な角度位置を特定する位置測定装置の遠視外観。
【図２】走査検知要素の部分範囲の上部外観。
【図３】第二実施例に従い相対的な角度位置を特定する位置測定装置の上部外観。
【図４】並進的な相対位置を特定する位置測定装置の遠視外観。
【図５ａ】並進的な相対位置を特定する位置測定装置の目盛要素の部分範囲を上から見た外観。
【図５ｂ】並進的な相対位置を測定する位置測定装置の走査検知要素の部分範囲を上から見た外観。
【発明を実施するための形態】
【実施例１】
【００３１】
図１および２による第一実施例で本発明を、走査検知要素１と目盛要素２ないしスケールとの間の角度位置を検出するために特定されている位置測定装置を使って説明する。構造を説明するために、図１では走査検知要素１と目盛要素２を分離して図示している。使用する状態では走査検知要素１と目盛要素２が、ラジアル方向空隙を有して互いが同心で対向している。
【００３２】
この実施例で目盛要素２はリングとして構成されており、その外面側に間隔Ｚ２をおいて配設された二つの目盛トラック２．１，２．２がある。提示の例で目盛トラック２．１，２．２に含まれるのは、目盛線２．１１，２．２１およびその間に位置する間隙２．１２，２．２２であり、第一目盛トラック２．１が、このような目盛線２．１１を６４個有している一方で、第二目盛トラック２．２に含まれるのは６３個の目盛線２．２１に過ぎない。例示では円周溝２．４が、アキシャル方向幅Ｚ２を有して目盛線２．１１，２．２１の間に位置している。
【００３３】
従って、二つの目盛トラック２．１，２．２はそれぞれ、交互に配設された目盛線２．１１，２．２１および間隙２．１２，２．２２の周期的な並びで構成されている。
【００３４】
第一目盛トラック２．１の第一目盛周期Ｐ２．１は、目盛線２．１１ひとつの長さＴ１および間隙２．１２ひとつの長さＧ１の合計から得られ、長さＴ１，Ｇ１は方向Ｘで延伸している。同様に第二目盛周期Ｐ２．２は、第二目盛トラック２．２で目盛線２．２１ひとつの一つの長さＴ２および間隙２．２２ひとつの長さＧ２の合計を示している。両方の目盛トラック２．１，２．２は次の関係、即ちＴ１／Ｇ１≒Ｔ２／Ｇ２が当て嵌まるように寸法が決められている。
【００３５】
目盛トラック２．１，２．２は、特に第一方向Ｘに沿って、ここでは円周方向で異なった目盛周期Ｐ２．１，Ｐ２．２（図２）を有している、即ち：
Ｐ２．１＝円周／６４、および
Ｐ２．２＝円周／６３
【００３６】
従って、第二目盛トラック２．２の目盛周期Ｐ２．２に対する第一目盛トラック２．１の目盛周期Ｐ２．１の割合は、次のようになる：
Ｐ２．１：Ｐ２．２＝（円周／６４）：（円周／６３）＝６３／６４≒０．９８４
【００３７】
走査検知要素１は、リング状で配設されたフレキシブルなプリント基板で出来ており、その上に二つの励起配線１．４，１．５および三つのレシーバートラック１．１，１．２，１．３が配設されている。励起配線１．４，１．５もレシーバートラック１．１，１．２，１．３も、方向Ｘに沿って又は円周方向に沿って、更に厳密に言えば走査検知要素１の概ね全周に亘って延伸している。全周に亘って完全に延伸して製造することは実際には殆どできない、または非常な工数と費用を使ってのみ可能である、というのは、励起配線１．４，１．５およびレシーバートラック１．１，１．２，１．３のために、走査検知要素１には接続部分が設けられているからであり、それが結果として−極く僅かであっても−不連続部分になる。加えて第一および第二レシーバートラック１．１，１．２は、互いが間隔Ｚ１をおいて走査検知要素１に設けられている。間隔Ｚ１は第一方向Ｘに対して、即ち円周方向に対して直角に延伸しており、そして特に間隔Ｚ２に対して平行ないしアキシャル方向に向いている。
【００３８】
走査検知要素１には更に、第三レシーバートラック１．３がある。これはアキシャル方向で、第一および第二レシーバートラック１．１，１．２の間に配設されており、接続部分を除いて方向Ｘで走査検知要素１のほぼ全周に亘って延伸している。励起配線１．４，１．５およびレシーバートラック１．１，１．２，１．３は、走査検知要素１として使用する多層構造のフレキシブルなプリント基板の導線として構成されている。
【００３９】
加えて走査検知要素１には、エレクトロニクス回路およびコネクタ要素が配設されているが、図ではそれを図示していない。走査検知要素１は、リング状のハウジング１１に組み付けられている。ケーブル３０を介して走査検知要素１は、後続のエレクトロニクス機器と接続可能である。
【００４０】
図２において部分詳細図で、三つのレシーバートラック１．１，１．２，１．３および二つの励起配線１．４，１．５を、目盛トラック２．１，２．２と共に示している。第一および第二のレシーバートラック１．１，１．２は、それぞれペアのレシーバー導線１．１１，１．１２；１．２１，１．２２を有している。第三レシーバートラック１．３に含まれるのは、同じく導線として構成されている二つのレシーバーループ１．３１，１．３２である。
【００４１】
図２で分かるように、第一レシーバートラック１．１の傍にも第二レシーバートラック１．２の傍にも、Ｚ方向でそれぞれ両側に励起配線１．４，１．５が配設されている。言い換えれば、方向Ｘに対して直角に向いている方向（Ｚ方向）で、第一および第二レシーバートラック１．１，１．２の間に二つの励起配線１．４，１．５がある。
【００４２】
使用する状態では目盛要素２が、接触することなくラジアル方向で走査検知要素１の内側に位置している。一般的に目盛要素２はロータとして使用され、軸Ａを中心にして回転自在の機械部品に固定される。それに対して走査検知要素１は、位置測定装置のステータとなるので、静止している機械部品に固定される。軸Ａを中心にして目盛要素２と走査検知要素１間で相対回転する時には、走査検知要素１においてインダクション効果により、その時の角度位置に対応した信号を生成することができる。
【００４３】
当該信号を形成するための前提は、励起配線１．４，１．５が交流の励起電磁界を、レシーバートラック１．１，１．２，１．３の部分で、ないしそれを使って走査検知する目盛トラック２．１，２．２の部分で生成することである。図示している実施例では励起配線１．４，１．５が、電流通過する平行な複数の単一導線として構成されている。励起配線１．４，１．５に電流が流れると、その励起配線１．４，１．５を中心に向きが楕円チューブないし円筒形状である電磁界が形成される。生じる電磁界の磁力線は、励起配線１．４，１．５を中心にした同心円の形態で延伸し、その磁力線の方向は公知の形式と方法により、励起配線１．４，１．５における電流方向によって決まる。目盛線２．１１，２．２１の部分で渦電流が誘電されるので、角度位置に対応して磁界が変調される。従ってレシーバートラック１．１，１．２により、方向Ｘにおける相対位置を測定することができる。レシーバートラック１．１，１．２でペアのレシーバー導線１．１１，１．１２；１．２１，１．２２は、それぞれ９０°位相がオフセットした信号を出すように配設されているので、回転方向の特定も行うことができる。方向Ｘにおける位置、即ちここでは角度位置を特定するためのレシーバートラック１．１，１．２のそれぞれは、個別の励起配線１．４，１．５により挟まれている。
【００４４】
第一、第二、および第三レシーバートラック１．１，１．２，１．３は、走査検知要素１の殆ど全周、即ち軸Ａを中心にした約３６０°を延伸している。取り付け許容差が比較的大きい時も、このような構造により正確な角度測定を達成することができる。
【００４５】
二つの目盛トラック２．１，２．２が、僅かに異なった目盛周期Ｐ２．１，Ｐ２．２を有していることにより、波動干渉原理ないしノギスバーニア原理を利用してレシーバートラック１．１，１．２の信号から、走査検知要素１に対する目盛要素２のアブソリュート角度位置を特定することができる。
【００４６】
目盛要素２は、例えば工作機械のスピンドルに固定されていることがあり、一次的にその回転位置および回転数を測定することになる。回転自在であるシャフトの端部に工具が取り付けられており、該当加工品の正確な加工を保証するために、その位置を正確に測定せねばならない。このような配設を長時間に亘って使用する時にはシャフトに通常、例えば駆動モータあるいは軸受からの熱が伝わる。このことが結果として、方向Ｚにおけるシャフトの長さ変化となる。対応してＺ方向における工具の位置ずれが生じる。工作機械の精度を向上するために、そこで長さ変化の値ないし量を測定して、工作機械の数値制御部ないし位置補正する後続エレクトロニクス機器に送る。本発明による位置測定装置を使うことにより、シャフトの長さ変化を測定する別個の位置測定機器を特別に必要としない。
【００４７】
方向Ｚにおける目盛要素２と走査検知要素１間の相対的な位置は、第三レシーバートラック１．３を使って検出する。レシーバーループ１．３１，１．３２により生成される信号は、該当レシーバーループ１．３１，１．３２と溝２．４との重なり度合に関係している。Ｚ位置用の信号を得るために第三レシーバートラック１．３が必要とする励起磁界は、励起配線１．４，１．５により生成される。従って位置測定装置により、第一方向Ｘに対して直角に向いている第二方向Ｚにおける相対位置を、電磁界を発生する正に励起配線１．４，１．５を使用して検出することができ、その電磁界を使うことにより最終的に第一方向Ｘにおける相対位置も、第一および第二レシーバートラック１．１；１．２を使って検知可能である。即ち、Ｚ方向における相対位置を検出するための特別な励起配線を廃止することができる。
【００４８】
即ち、方向Ｚは第一方向Ｘに対して直角に向いている方向であるが、ラジアル方向ではない（Ｙ方向でない）ので、シャフトの長さ変化を特定するためには、走査検知要素１と目盛要素２間の空隙幅を使用しない。
【実施例２】
【００４９】
図３では位置測定装置の第二実施例を図示しており、それは同じく角度位置を検出するために特定されているものである。この実施例による位置測定装置に含まれているのは、外側のリング状ハウジング１１および目盛要素２である。これらは第一実施例に相当して構成されている。それとは違って第二実施例による位置測定装置は、四つのセグメント１０．１，１０．２，１０．３，１０．４を含む走査検知要素１０を有している。セグメント１０．１，１０．２，１０．３，１０．４のそれぞれが、第一実施例の走査検知要素１のように励起配線１．４，１．５および三つのレシーバートラック１．１，１．２，１．３を有しており、第一および第二レシーバートラック１．１，１．２は互いが、第一方向Ｘに対して直角、即ちＺ方向で延伸する間隔Ｚ１をおいて配設されている。第三レシーバートラック１．３は、第一および第二レシーバートラック１．１，１．２の間に配設されている。従って図２は、第二実施例のセグメント１０．１，１０．２，１０．３，１０．４の一つを取り出したものとして見ることもできる。
【００５０】
セグメント１０．１，１０．２，１０．３，１０．４のそれぞれは、目盛要素２の円周ないしハウジング１１の内周の一部範囲のみを延伸している。示している実施例では四つのセグメント１０．１，１０．２，１０．３，１０．４のそれぞれが、２４°の中心角αで延伸しているので、セグメント１０．１，１０．２，１０．３，１０．４が延伸しているのは、合計で円周の２６．７％（９６°）のみである。
【００５１】
目盛要素の直径が大きい時には特に、セグメント１０．１，１０．２，１０．３，１０．４が延伸するのは、代替として合計で基本的に円周の１／４以下のことがある。代替として又、二つ、三つ、あるいは四つ以上のセグメント１０．１，１０．２，１０．３，１０．４が、円周に沿って配設されることもある。
【００５２】
セグメント１０．１，１０．２，１０．３，１０．４は互いが、軸Ａ上の点に関して点対称で配設されている。このような配設は又、四つ以外の数のセグメント１０．１，１０．２，１０．３，１０．４を使用する時にも利点がある。
【実施例３】
【００５３】
図４，５ａ，５ｂで図示している第三実施例によれば本発明を、並進的または直線的な相対位置を測定するために使用することもできる。
【００５４】
この実施例では目盛要素２’が、ハウジング２０’に組み付けられていると共に、二つの目盛トラック２．１’，２．２’を有している。その二つの目盛トラック２．１’，２．２’はそれぞれ、交互に配設された導電性の目盛構造２．１１’，２．２１’および非導電性の目盛構造２．１２’，２．２２’の周期的な並びで出来ている。導電性の部分範囲２．１１’，２．２１’用の材料として、示している例では基板の上に銅を装着した。それに対して非導電性の目盛構造２．１２’，２．２２’では、基板を被膜しなかった。目盛トラック２．１’，２．２’は、第一方向Ｘに沿って異なった目盛周期Ｐ２．１，Ｐ２．２（図５ａ）を有している。
【００５５】
目盛トラック２．１’，２．２’の間には、幅Ｚ２’を有する帯状部分２．４’があり、帯状部分２．４’は導電性の被膜を全く有していない。
【００５６】
第三実施例による位置測定装置は更に、プリント基板で出来た走査検知要素１’を有しており、そのプリント基板上に、二つの励起配線１．４’，１．５’および三つのレシーバートラック１．１’，１．２’，１．３’が配設されている。第一および第二レシーバートラック１．１’，１．２’は、互いが間隔Ｚ１’をおいて走査検知要素１’に装着されている。間隔Ｚ１’は、第一方向Ｘに対して直角に延伸しており、そして特に間隔Ｚ２’に対して平行ないしＺ方向に向いている。
【００５７】
同時に走査検知要素１’には、第三レシーバートラック１．３’がある。これはＺ方向で、第一および第二レシーバートラック１．１’，１．２’の間に配設されている。励起配線１．４’，１．５’およびレシーバートラック１．１’，１．２’，１．３’は、走査検知要素１’として使用される多層構造のフレキシブルなプリント基板の導線として構成されている。
【００５８】
加えて走査検知要素１’には、特に図示していないエレクトロニクス回路およびコネクタ要素が配設されている。走査検知要素１’はハウジング１０’に組み込まれている。ケーブル３０を介して走査検知要素１’が、後続エレクトロニクス機器と接続可能である。
【００５９】
第一および第二レシーバートラック１．１’，１．２’は、原理的に図２での図示に類似して構成されている、即ち、それぞれペアのレシーバー導線を有し、それが正弦波状でオフセットして配設されている。二つの励起配線１．４’，１．５’も同じく、図２での図示と類似して構成されている。第三レシーバートラック１．３’は当然ながら、第一実施例のものよりＸ方向で短く実施されている。
【００６０】
走査検知要素１’がＸ方向で目盛要素２’に沿って移動すると、これらの間でアブソリュートの相対位置を特定することができ、ここでもノギスのバーニア原理を使用する。同時にＺ方向で目盛要素２’と走査検知要素１’間の相対位置を、第三レシーバートラック１．３’を使って検知することができる。個々のレシーバーループ１．３１’，１．３２’により生成される信号は、被膜されていない帯状部分２．４’と当該レシーバーループ１．３１’，１．３２’の重なり度合によって決まる。
【００６１】
走査検知要素１’および目盛要素２’は、互いが対向して配設されており、Ｙ方向で延伸する空隙により互いから距離を置いている。ここでも本発明は、Ｙ方向における空隙幅の検知に関するものではない。
【００６２】
インダクティブ位置測定装置が、角度測定装置として又は長さ測定装置として構成されているかどうかと関係なく、目盛線および間隙あるいは導電性の面および非導電性の面を、目盛構造として使用することができる。
【符号の説明】
【００６３】
１            走査検知要素
１．１        第一レシーバートラック
１．１１      レシーバー導線
１．１２      レシーバー導線
１．２        第二レシーバートラック
１．２１      レシーバー導線
１．２２      レシーバー導線
１．３        第三レシーバートラック
１．３１      レシーバーループ
１．３２      レシーバーループ
１．４        励起配線
１．５        励起配線
２            目盛要素
２．１        目盛トラック
２．２        目盛トラック
２．１１      目盛線
２．１２      間隙
２．２１      目盛線
２．２２      間隙
２．４        円周溝、帯状部分
１０          走査検知要素
１０．１      セグメント
１０．２      セグメント
１０．３      セグメント
１０．４      セグメント
１１          ハウジング
２０          ハウジング
３０          ケーブル
【図１】
2014119453.tif 000003
【図２】
2014119453.tif 000004
【図３】
2014119453.tif 000005
【図４】
2014119453.tif 000006
【図５ａ】
2014119453.tif 000007
【図５ｂ】
2014119453.tif 000008